(57)【要約】【課題】クラッチ機構のスリップトルクを常に所定の規格範囲内に安定させること、また、クラッチ機構を駆動軸に組み付ける前に検査すること。【解決手段】フィルムの巻上げ終端においてフィルムと電動モータ１の駆動軸１ａとの間に生じるテンションを制限するクラッチ機構を備えている。クラッチ機構は、駆動軸１ａに嵌合して駆動軸１ａと常時一体的に回転する筒状体２と、筒状体２に空転可能に嵌合したピニオンギヤ３と、筒状体２に嵌合してピニオンギヤ３を軸方向に付勢し、テンションが所定値以上発生していない時、ピニオンギヤ３を付勢力により筒状体２に空転不能に押圧して筒状体２と一体的に回転させる一方、ピニオンギヤ３にテンションが所定値以上発生して付勢力に打ち勝つ時、ピニオンギヤ３を筒状体２に対して空転させる皿バネ５と、から一体的に構成してある。【選択図】　図３
2004086052.tif 000002
【特許請求の範囲】
【請求項１】
電動モータの駆動力によりギヤ列を介してフィルムを巻取りスプールに巻上げる巻上げ機構と、フィルムの巻上げ終端においてフィルムと前記巻上げ機構との間に生じるテンションを制限するクラッチ機構とを備えたカメラのフィルム巻上げ装置において、
前記クラッチ機構は、
前記巻上げ機構の駆動軸に嵌合し、当該駆動軸と常時一体的に回転する筒状体と、
当該筒状体に空転可能に嵌合し、前記ギヤ列の一部をなすピニオンギヤと、
前記筒状体に嵌合して、前記ピニオンギヤを前記筒状体の軸方向に付勢し、前記テンションが所定値以上発生していない時、前記ピニオンギヤを付勢力により前記筒状体に空転不能に押圧して前記筒状体と一体的に回転させる一方、前記ピニオンギヤに前記テンションが所定値以上発生して付勢力に打ち勝つ時、前記ピニオンギヤを前記筒状体に対して空転させる皿バネと、
を一体的に構成したことを特徴とするカメラのフィルム巻上げ装置。
【請求項２】
前記クラッチ機構は、前記ピニオンギヤと前記皿バネの間に配置した摩擦板と、前記皿バネを当該摩擦板との間で弾性的に収縮して保持する止め輪と、を更に備えることを特徴とする請求項１に記載のカメラのフィルム巻上げ装置。
【請求項３】
電動モータの駆動力によりギヤ列を介してフィルムを巻取りスプールに巻上げる巻上げ機構と、フィルムの巻上げ終端においてフィルムと前記巻上げ機構との間に生じるテンションを制限するクラッチ機構とを備えたカメラのフィルム巻上げ装置において、
前記クラッチ機構は、
前記巻上げ機構の駆動軸に空転可能に嵌合し、前記ギヤ列の一部をなすピニオンギヤと、
前記駆動軸に嵌合して、前記ピニオンギヤを前記駆動軸の軸方向に付勢し、前記テンションが所定値以上発生していない時、前記ピニオンギヤを付勢力により前記駆動軸に空転不能に押圧して前記駆動軸と一体的に回転させる一方、前記ピニオンギヤに前記テンションが所定値以上発生して付勢力に打ち勝つ時、前記ピニオンギヤを前記駆動軸に対して空転させる皿バネと、
を備えていることを特徴とするカメラのフィルム巻上げ装置。
【発明の詳細な説明】
【０００１】
【発明の属する技術分野】
本発明は、電動モータの駆動力によりギヤ列を介してフィルムを巻取りスプールに巻上げるカメラのフィルム巻上げ装置に関し、特に、フィルムの巻上げ終端においてフィルムと前記巻上げ機構との間に生じるテンションを制限するためのクラッチ機構を備えたフィルム巻上げ装置に関する。
【０００２】
【従来の技術】
カメラに搭載する電動式のフィルム巻上げ装置は、例えば、特開昭５９−１４３１３３号公報に開示してある。電動式の巻上げ装置では、フィルムへの撮影動作が終了する度に、一つの電動モータの駆動力により、ギヤ列を介してフィルムを巻取りスプールに巻上げ、フィルムの巻上げ終了後には、この電動モータの駆動力により、フィルムをパトローネ内に巻き戻している。
【０００３】
このフィルムの巻上げ途中で、フィルムが終端に達すると、上記ギヤ列の一部をなす電動モータの駆動軸のピニオンギヤと、フィルムとの間に、所定値以上のテンションが生起する。そのため、駆動軸には、所定値以上のテンションの生起時、駆動軸に対してピニオンギヤを空転するクラッチ機構が設けてある。
【０００４】
図４に、この駆動軸のクラッチ機構の一例が示してある。電動モータａの駆動軸ｂには、一対の止め輪ｃ，ｃが所定間隔離間して取付けてあり、駆動軸ｂの先端部の切欠き部ｄには、一対の摩擦板ｅ，ｅが離間して、駆動軸ｂと一体的に回転できるように取付けてある。
【０００５】
一対の摩擦板ｅ，ｅの間であって切欠き部ｄには、上述したギヤ列に噛合するピニオンギヤｆが空転可能に設けてあり、一方の止め輪ｃと、一方の摩擦板ｅとの間には、この摩擦板ｅを軸方向に付勢するコイルスプリングｇが介装してある。
【０００６】
従って、フィルム巻上げ・巻戻し時には、コイルスプリングｇの付勢力により摩擦板ｅ，ｅ間に生じる摩擦トルクによって、ピニオンギヤｆを押圧して空転不能にし、これにより、ピニオンギヤｆを駆動軸ｂと一体的に回転駆動して、フィルムの巻上げ・巻戻しを行う。
【０００７】
一方、フィルムの巻上げ途中で、フィルムが終端に達すると、上述したように、フィルムと、駆動軸ｂのピニオンギヤｆとの間に、比較的大きいテンションが生起する。しかし、このテンションがコイルスプリングＧによる摩擦板ｅ，ｅ間の摩擦トルクに打ち勝つと（この時の摩擦トルクは以下スリップトルクという）、ピニオンギヤｆは、駆動軸ｂに対して空転し、これにより、テンションを制限して、フィルムの破損等を防止している。
【０００８】
なお、ピニオンギヤｆが空転を開始した後、所定時間が経過すると、電動モータａは、停止するようになっている。
【０００９】
【発明が解決しようとする課題】
しかしながら、上記のように、コイルスプリングｇを利用してピニオンギヤｆを空転するクラッチ機構にあっては、コイルスプリングｇは、その変位と付勢力が線形特性を有している。そのため、ピニオンギヤｆ、摩擦板ｅ，ｅなどの部品に多少の寸法誤差があると、その付勢力によるスリップトルクも多少変動し、所定の規格範囲内に安定させることが困難であるといったことがある。
【００１０】
また、電動モータの駆動軸に、クラッチ機構を組み付けた後、スリップトルクが規格範囲内に収まっているか否かを検査している。しかしながら、駆動軸にクラッチ機構を組み付けた後の検査は、不合格品を分解・再組立・再調整等しなければならず、著しく長時間を要して非常に煩雑である。
【００１１】
従って、駆動軸に、クラッチ機構を組み付ける前に、スリップトルクが規格範囲内に収まっているか否かを検査し、たとえ不合格品となっても、クラッチ機構単体で分解・再調整して、最終的な合格品のみを駆動軸に組み付けたいといった要望がある。
【００１２】
本発明は、上述したような事情に鑑みてなされたものであって、クラッチ機構のスリップトルクを常に所定の規格範囲内に安定させることができ、また、クラッチ機構を駆動軸に組み付ける前に検査することができるカメラのフィルム巻上げ装置を提供することを目的とする。
【００１３】
【課題を解決するための手段】
上記の目的を達成するため、本発明の請求項１に係るカメラのフィルム巻上げ装置は、電動モータの駆動力によりギヤ列を介してフィルムを巻取りスプールに巻上げる巻上げ機構と、フィルムの巻上げ終端においてフィルムと前記巻上げ機構との間に生じるテンションを制限するクラッチ機構とを備えたカメラのフィルム巻上げ装置において、
前記クラッチ機構は、
前記巻上げ機構の駆動軸に嵌合し、当該駆動軸と常時一体的に回転する筒状体と、
当該筒状体に空転可能に嵌合し、前記ギヤ列の一部をなすピニオンギヤと、
前記筒状体に嵌合して、前記ピニオンギヤを前記筒状体の軸方向に付勢し、前記テンションが所定値以上発生していない時、前記ピニオンギヤを付勢力により前記筒状体に空転不能に押圧して前記筒状体と一体的に回転させる一方、前記ピニオンギヤに前記テンションが所定値以上発生して付勢力に打ち勝つ時、前記ピニオンギヤを前記筒状体に対して空転させる皿バネと、
を一体的に構成したことを特徴とする。
【００１４】
また、本発明の請求項２に係るカメラのフィルム巻上げ装置は、請求項１において、前記クラッチ機構は、前記ピニオンギヤと前記皿バネの間に配置した摩擦板と、前記皿バネを当該摩擦板との間で弾性的に収縮して保持する止め輪と、を更に備えることを特徴とする。
【００１５】
さらに、本発明の請求項３に係るカメラのフィルム巻上げ装置は、電動モータの駆動力によりギヤ列を介してフィルムを巻取りスプールに巻上げる巻上げ機構と、フィルムの巻上げ終端においてフィルムと前記巻上げ機構との間に生じるテンションを制限するクラッチ機構とを備えたカメラのフィルム巻上げ装置において、
前記クラッチ機構は、
前記巻上げ機構の駆動軸に空転可能に嵌合し、前記ギヤ列の一部をなすピニオンギヤと、
前記駆動軸に嵌合して、前記ピニオンギヤを前記駆動軸の軸方向に付勢し、前記テンションが所定値以上発生していない時、前記ピニオンギヤを付勢力により前記駆動軸に空転不能に押圧して前記駆動軸と一体的に回転させる一方、前記ピニオンギヤに前記テンションが所定値以上発生して付勢力に打ち勝つ時、前記ピニオンギヤを前記駆動軸に対して空転させる皿バネと、
を備えていることを特徴とする。
【００１６】
【発明の実施の形態】
以下、本発明の実施の形態に係るカメラのフィルム巻上げ装置を図面を参照しつつ説明する。
【００１７】
図１は、本発明の実施の形態に係るカメラのフィルム巻上げ装置の分解斜視図である。図２は、図１に示したフィルム巻上げ装置に装着するクラッチ機構の分解斜視図である。図３は、図１に示したフィルム巻上げ装置を組み立てた状態におけるフィルム巻上げ装置の縦断面図である。
【００１８】
本実施の形態に係る電動式のフィルム巻上げ装置では、フィルムへの撮影動作が終了する度に、電動モータ１の駆動力により、ギヤ列（図示略）を介してフィルムを巻取りスプール（図示略）に巻上げ、フィルムの巻上げ終了後には、この電動モータ１の駆動力により、フィルムをパトローネ（図示略）内に巻き戻している。
【００１９】
図１に示すように、電動モータ１の駆動軸１ａでは、その基端部に、円周方向に凹陥した周方向溝１ｂが形成してあり、その先端部に、円周方向に凹陥した周方向溝１ｃが形成してある。なお、周方向溝１ｃの一部には、平坦部１ｄが形成してある。
【００２０】
本実施の形態では、駆動軸１ａに嵌合する筒状部材２が設けてある。筒状部材２では、その一端部に、円周方向に凹陥した周方向溝２ａが形成してあり、その他端部には、大径のフランジ部２ｂが形成してある。なお、フランジ部２ｂの端面には、軸方向に凹陥した平坦面２ｃと、この平坦面２ｃに垂直で互いに対向した一対の平坦面２ｄ，２ｄとが形成してある。
【００２１】
図２に示すように、筒状部材２には、ギヤ列（図示略）の一部をなすピニオンギヤ３が空転可能に嵌合してある。なお、ピニオンギヤ３の孔部３ａは、ピニオンギヤ３が筒状部材２に対して空転できるように、筒状部材２の外径より若干大径に設定してある。
【００２２】
筒状部材２には、ピニオンギヤ３に隣接して、摩擦板４が嵌合してある。
【００２３】
筒状部材２には、摩擦板４に隣接して、複数枚の皿バネ５が嵌合してある。これらの皿バネ５は、摩擦板４を介して、ピニオンギヤ３を軸方向に付勢するようになっている。
【００２４】
図１に示すように、筒状部材２の周方向溝２ａに差し込み、ピニオンギヤ３、摩擦板４、及び皿バネ５を筒状部材２に取付けるためのＣ型形状の止め輪６が設けてある。
【００２５】
駆動軸１ａの周方向溝１ｃに差し込むための止め輪７が設けてある。この止め輪７の内面には、平坦面７ａが形成してあり、この平坦面７ａは、駆動軸１ａの周方向溝１ｃの平坦面１ｄに係止し、これにより、止め輪７が駆動軸１ａと一体的に回転できるようになっている。また、止め輪７の外面には、一対の平坦面７ｂ，７ｂが形成してあり、　　一対の平坦面７ｂ，７ｂは、筒状部材２の一対の平坦面２ｄ，２ｄに係止し、これにより、止め輪７が筒状部材２と一体的に回転できるようになっている。従って、筒状部材２が止め輪７を介して駆動軸１ａと常時一体的に回転できるようになっている。
【００２６】
駆動軸１ａの周方向溝１ｂに差し込み、筒状部材２を駆動軸１ｂに取付けるためのＣ型形状の止め輪８が設けてある。
【００２７】
次に、上述したように構成したフィルム巻上げ装置は、以下のように組み立てるが、本実施の形態では、クラッチ機構は、ユニット化してあり、クラッチ機構のトルク検査の後、クラッチ機構を電動モータ１の駆動軸１ａに組み付けるようになっている。
【００２８】
クラッチ機構の組立に際しては、図３にも示すように、筒状部材２に、ピニオンギヤ３、摩擦板４、及び皿バネ５を嵌合した後、皿バネ５を摩擦板４との間で弾性的に収縮しながら、止め輪６を筒状部材２の周方向溝２ａに差し込み、クラッチ機構の組立を完成する。
【００２９】
この完成したクラッチ機構は、電動モータ１の駆動軸１ａに組み付ける前に、クラッチ機構単体で、皿バネ５による摩擦トルク（スリップトルク）が規格範囲内に収まっているか否か検査する。
【００３０】
本実施の形態では、このように、クラッチ機構を駆動軸１ａに組み付ける前に検査することができ、しかも、たとえ不合格品となっても、クラッチ機構単体で分解・再調整して、最終的な合格品のみを駆動軸１ａに組み付けることができる。従って、分解・再調整等に著しく長時間を要して非常に煩雑である組み付け後の検査を不要にして、検査・再調整のコストを著しく低減することができる。
【００３１】
完成したクラッチ機構を、電動モータ１の駆動軸１ａに嵌合し、駆動軸１ａの周方向溝１ｂ，１ｃに、夫々、止め輪８，７を差し込む。
【００３２】
止め輪８は、筒状部材２を駆動軸１ａの基端部側で保持する一方、止め輪７は、その平坦面７ａが駆動軸１ａの周方向溝１ｃの平坦面１ｄに係止し、これにより、止め輪７が駆動軸１ａと一体的に回転することができ、また、一対の平坦面７ｂ，７ｂが筒状部材２の一対の平坦面２ｄ，２ｄに係止し、これにより、止め輪７が筒状部材２と一体的に回転することができる。従って、筒状部材２は、止め輪７を介して駆動軸１ａと常時一体的に回転することができる。
【００３３】
図３に示すように組み立てたフィルム巻上げ装置では、フィルム巻上げ・巻戻し時には、皿バネ５の付勢力により摩擦板４を介してピニオンギヤ３をフランジ部２ｂに軸方向に押圧し、この付勢力により生じる摩擦トルクによって、ピニオンギヤ３を摩擦板４とフランジ部２ｂとの間で押圧して空転不能にし、これにより、ピニオンギヤ３を筒状部材２を介して駆動軸１ａと常時一体的に回転駆動して、フィルムの巻上げ・巻戻しを行う。
【００３４】
一方、フィルムの巻上げ途中で、フィルムが終端に達すると、フィルムと、ピニオンギヤ３との間に、比較的大きいテンションが発生する。しかし、このテンションが皿バネ５の付勢力による摩擦トルク（スリップトルク）に打ち勝つと、ピニオンギヤ３は、筒状部材２に対して空転し、これにより、テンションを制限して、フィルムの破損等を防止している。なお、ピニオンギヤ３が空転を開始した後、所定時間が経過すると、電動モータ１は、停止するようになっている。
【００３５】
このように、本実施の形態によれば、皿バネ５を利用したクラッチ機構を提供しており、この皿バネ５は、その変位と付勢力が非線形特性を有している。そのため、ピニオンギヤ３などの部品に多少の寸法誤差があり、この誤差により皿バネ５の弾性的圧縮量に多少のばらつきが生じていたとしても、その付勢力は、略一定に維持することができる。従って、多少の寸法誤差があったとしても、摩擦トルク（スリップトルク）を所定の規格範囲内に維持して安定させることができる。
【００３６】
また、クラッチ機構は、ピニオンギヤ３と皿バネ５の間に配置した摩擦板４と、皿バネ５を摩擦板４との間で弾性的に収縮して保持する止め輪６とを備えおり、簡易な構造により、ピニオンギヤ３と皿バネ５を筒状部材２に取付けることができる。
【００３７】
なお、本発明は、上述した実施の形態に限定されず、種々変形可能である。
【００３８】
例えば、上述した実施の形態では、クラッチ機構のユニット化のため、筒状部材２を用いているが、この筒状部材２を有しないクラッチ機構であってもよい。
【００３９】
すなわち、電動モータ１の駆動軸１ａに、ピニオンギヤ３を空転可能に嵌合すると共に、駆動軸１ａに、ピニオンギヤ３を軸方向に付勢する皿バネ５が嵌合してあればよい。
【００４０】
この場合には、フィルム巻上げ・巻戻し時には、皿バネ５の付勢力によってピニオンギヤ３を軸方向に押圧して駆動軸１ａに対して空転不能にし、駆動軸１ａと一体的に回転させる一方、フィルムの巻上げ終了時、テンションが皿バネ５の付勢力によるスリップトルクに打ち勝つと、ピニオンギヤ３を駆動軸１ａに対して空転させるようになっている。
【００４１】
【発明の効果】
以上説明したように、請求項１によれば、皿バネを利用したクラッチ機構を提供しており、この皿バネは、その変位と付勢力が非線形特性を有している。そのため、ピニオンギヤなどの部品に多少の寸法誤差があり、この誤差により皿バネの弾性的圧縮量に多少のばらつきが生じても、その付勢力は、略一定に維持することができる。従って、多少の寸法誤差があったとしても、摩擦トルク（スリップトルク）を所定の規格範囲内に維持して安定させることができる。
【００４２】
しかも、クラッチ機構は、筒状体と、ピニオンギヤと、皿バネとから構成して、ユニット化を図っている。そのため、クラッチ機構を電動モータの駆動軸に組み付ける前に、クラッチ機構単体で、皿バネによる摩擦トルク（スリップトルク）が規格範囲内に収まっているか否か検査することができ、たとえ不合格品となっても、クラッチ機構単体で分解・再調整することができ、最終的な合格品のみを駆動軸に組み付けることがでる。従って、分解・再調整等に著しく長時間を要して非常に煩雑である組み付け後の検査を不要にして、検査・再調整のコストを著しく低減することができる。
【００４３】
また、請求項２によれば、クラッチ機構は、前記ピニオンギヤと前記皿バネの間に配置した摩擦板と、前記皿バネを当該摩擦板との間で弾性的に収縮して保持する止め輪と、を更に備えおり、簡易な構造により、ピニオンギヤと皿バネを取付けることができる。
【００４４】
さらに、請求項３によれば、皿バネを利用したクラッチ機構を提供しており、この皿バネは、その変位と付勢力が非線形特性を有している。そのため、ピニオンギヤなどの部品に多少の寸法誤差があり、この誤差により皿バネに多少の変位が生じていたとしても、その付勢力は、略一定に維持することができる。従って、多少の寸法誤差があったとしても、摩擦トルク（スリップトルク）を所定の規格範囲内に維持して安定させることができる。
【図面の簡単な説明】
【図１】本発明の実施の形態に係るカメラのフィルム巻上げ装置の分解斜視図である。
【図２】図１に示したフィルム巻上げ装置に装着するクラッチ機構の分解斜視図である。
【図３】図１に示したフィルム巻上げ装置を組み立てた状態におけるフィルム巻上げ装置の縦断面図である。
【図４】従来に係るフィルム巻上げ装置を組み立てた状態におけるフィルム巻上げ装置の縦断面図である。
【符号の説明】
１　電動モータ
１ａ　駆動軸
１ｂ　周方向溝
１ｃ　周方向溝
１ｄ　平坦面
２　筒状部材
２ａ　周方向溝
２ｂ　フランジ部
２ｃ　平坦面
２ｄ　平坦面
３　ピニオンギヤ
３ａ　孔部
４　摩擦板
４ａ　孔部
５　皿バネ
５ａ　孔部
６　止め輪
７　止め輪
７ａ　平坦面
７ｂ　平坦面
８　止め輪
【図１】
2004086052.tif 000003
【図２】
2004086052.tif 000004
【図３】
2004086052.tif 000005
【図４】
2004086052.tif 000006